(57)【特許請求の範囲】
【請求項１】
略箱状のケースと、このケース上面に突出した操作体の操作によって電気的接離を行う操作スイッチと、上記ケースに開閉可能に装着された扉体と、この扉体の開閉によって電気的接離を行う検知スイッチと、上記操作スイッチや検知スイッチの電気的接離に応じて、送信手段からリモコン信号を送信する制御手段からなり、上記扉体に上記検知スイッチに当接する弾性部材が設けられ、上記扉体を閉じた際には、上記検知スイッチが弾性変形して電気的に接続された状態で、上記弾性部材が弾性変形するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を可能にしたものが増えている。
【０００３】
このような従来のリモコン送信機について、図５及び図６を用いて説明する。
【０００４】
図５（ａ）は従来のリモコン送信機の断面図、図６は同斜視図であり、同図において、１は略箱状で絶縁樹脂製のケース、２はゴム等の下操作体で、複数の下操作部２Ａが下方に設けられた略ドーム状の薄肉部によって、上下動可能に連結形成されると共に、下操作部２Ａ上面がケース１上面から突出している。
【０００５】
また、３は上下面に複数の配線パターン（図示せず）が形成された配線基板で、この上面に下操作体２が載置されると共に、配線基板３上面には、各下操作部２Ａ下面に形成されたカーボン等の可動接点と、所定の間隙を空けて対向する複数の固定接点が設けられて、複数の操作スイッチ４が形成されている。
【０００６】
さらに、下操作体２右端には、下方の略ドーム状の薄肉部によって上下動可能に連結形成された検知部２Ｂが設けられ、この下面の可動接点と配線基板３上面の固定接点によって、検知スイッチ５が形成されている。
【０００７】
そして、６は絶縁樹脂製の扉体、７はゴム等の上操作体で、複数の上操作部７Ａが下方に設けられた略ドーム状の薄肉部によって、上下動可能に連結形成されると共に、上操作部７Ａ上面が扉体６上面から突出している。
【０００８】
また、右端中間部に形成されたヒンジ８を支点として、扉体６がケース１に対して開閉可能に装着されると共に、図５（ｂ）に示すように、扉体６が閉じた状態では、扉体６底面から突出した上操作部７Ａ下面の突出部が、下操作部２Ａ上面に当接している。
【０００９】
さらに、この閉状態では、扉体６下面に突出形成された押圧部６Ａが、下操作体２右端の検知部２Ｂを押圧して、下方の薄肉部が撓むと共に、検知部２Ｂ全体が上下方向に弾性圧縮されて、検知スイッチ５が電気的に接続された状態となっている。
【００１０】
そして、配線基板３上下面には、発光ダイオード等の電子部品によってリモコン信号を送信する送信手段９や、配線パターンを介して送信手段９や操作スイッチ４、検知スイッチ５等に接続された、マイコン等の制御手段１０が形成されて、リモコン送信機が構成されている。
【００１１】
なお、扉体６に収納された複数の上操作体７は、電子機器の電源の入／切、或いは音量や選局等の、通常頻繁に使用されるものに用いられ、ケース１内の複数の下操作体２は、テレビとビデオのモード切換えや時刻設定等の、比較的使用頻度の少ないものに用いられる。
【００１２】
以上の構成において、図５（ｂ）に示すように、扉体６が閉じた状態で、例えば扉体６上面から突出した上操作部７Ａを押圧操作すると、略ドーム状の薄肉部が弾性変形して上操作部７Ａが下方へ移動し、この下面の扉体６底面から突出した突出部が下操作部２Ａ上面を押圧する。
【００１３】
そして、下操作部２Ａが下方へ移動して、この下面の可動接点が固定接点と接触して操作スイッチ４の電気的接離が行われ、この電気的接離に応じて制御手段１０が、送信手段９から赤外線のリモコン信号を電子機器へ送信し、例えば、機器の電源の入／切が遠隔操作によって行われる。
【００１４】
また、ヒンジ８を支点として扉体６を回転し、図５（ａ）や図６に示すように扉体６を開くと、扉体６下面に突出形成された押圧部６Ａが、下操作体２右端の検知部２Ｂから離れ、略ドーム状の薄肉部の弾性復帰力によって検知部２Ｂが上方へ移動して、検知スイッチ５が電気的に切断された状態となる。
【００１５】
そして、この開状態で、ケース１上面から突出した下操作部２Ａを押圧操作すると、略ドーム状の薄肉部が弾性変形して下操作部２Ａが下方へ移動し、この下面の可動接点が固定接点と接触して操作スイッチ４の電気的接離が行われる。
【００１６】
そして、この電気的接離に応じて制御手段１０が送信手段９からリモコン信号を送信するが、この時、検知スイッチ５によって扉体６が開いた状態であることを制御手段１０が検出し、上記の上操作体７を介して押圧操作した場合とは異なるリモコン信号を電子機器へ送信し、例えば、テレビとビデオのモード切換えや機器の時刻設定等が遠隔操作によって行われる。
【００１７】
つまり、制御手段１０が検知スイッチ５の電気的接離によって扉体６の開閉状態を検出し、上操作体７と下操作体２のどちらが操作されたかを判別して、下操作体２を直接押圧操作した場合と、上操作体７を介して押圧操作した場合とでは、異なるリモコン信号を送信することによって、遠隔操作機能を増やし、より多様な操作が可能なように構成されているものであった。
【００１８】
なお、この出願の発明に関連する先行技術文献情報としては、例えば、特許文献１が知られている。
【特許文献１】特開平１１−２１３８０３号公報
【発明の開示】
【発明が解決しようとする課題】
【００１９】
しかしながら、上記従来のリモコン送信機においては、扉体６を閉じた際、押圧部６Ａによって検知部２Ｂ全体を弾性圧縮して、検知スイッチ５の電気的接離を行っているため、特に図６に示したように、ヒンジ８がケース１や扉体６の幅全体ではなく中間部にのみ形成されている場合、検知部２Ｂの弾性復帰力によって押圧部６Ａが上方へ押圧され、扉体６端部が浮いてケース１上面との間に隙間が生じ、この近傍の上操作部７Ａの押圧操作量にばらつきが生じてしまうという課題があった。
【００２０】
本発明は、このような従来の課題を解決するものであり、簡易な構成で、確実な開閉操作や遠隔操作が可能なリモコン送信機を提供することを目的とする。
【課題を解決するための手段】
【００２１】
上記目的を達成するために本発明は、ケースに開閉可能に装着された扉体に、検知スイッチに当接する弾性部材が設けられ、扉体を閉じた際には、検知スイッチが弾性変形して電気的に接続された状態で、弾性部材が弾性変形するリモコン送信機を構成したものであり、扉体を閉じた際、弾性部材に押圧されて検知スイッチの電気的接離が行われた後は、弾性部材によって扉体に対する上方への付勢力が打ち消され、扉体を浮かせる力が生じないため、扉体とケース上面との隙間のない開閉操作が行え、確実な遠隔操作が可能なリモコン送信機を得ることができるという作用を有する。
【発明の効果】
【００２２】
以上のように本発明によれば、簡易な構成で、確実な開閉操作や遠隔操作が可能なリモコン送信機を実現できるという有利な効果が得られる。
【発明を実施するための最良の形態】
【００２３】
以下、本発明の実施の形態について、図１〜図４を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるリモコン送信機の断面図、図２は同斜視図であり、同図において、１は略箱状でポリスチレンやＡＢＳ等の絶縁樹脂製のケース、２はゴムやエラストマー等の下操作体で、複数の下操作部２Ａが下方に設けられた略ドーム状の薄肉部によって、上下動可能に連結形成されると共に、下操作部２Ａ上面がケース１上面から突出している。
【００２６】
また、３は紙フェノールやガラス入りエポキシ等の配線基板で、上下面に銅箔等によって複数の配線パターン（図示せず）が形成され、この上面に下操作体２が載置されると共に、配線基板３上面には、各下操作部２Ａ下面に形成されたカーボン等の可動接点と、所定の間隙を空けて対向する複数の固定接点が設けられて、複数の操作スイッチ４が形成されている。
【００２７】
さらに、下操作体２右端には、下方の略ドーム状の薄肉部によって上下動可能に連結形成された検知部２Ｂが設けられ、この下面の可動接点と配線基板３上面の固定接点によって、同様に検知スイッチ５が形成されている。
【００２８】
そして、１６は絶縁樹脂製の扉体、１７はゴムやエラストマー等の上操作体で、右端中間部に形成されたヒンジ８を支点として、扉体１６がケース１に対して開閉可能に装着されると共に、複数の上操作部１７Ａが下方に設けられた略ドーム状の薄肉部によって上下動可能に連結形成され、これらの上操作部１７Ａ上面が扉体１６上面から突出している。
【００２９】
また、上操作体１７右端には、上方の略ドーム状の薄肉部によって上下動可能に連結形成された弾性部材１６Ａが設けられ、この弾性部材１６Ａが扉体１６下面から突出している。
【００３０】
そして、図３の断面図に示すように、扉体１６が閉じた状態では、扉体１６底面から突出した上操作部１７Ａ下面の突出部が、下操作部２Ａ上面に当接すると共に、扉体１６下面から突出した弾性部材１６Ａが、下操作体２右端の検知部２Ｂを押圧し、略ドーム状の薄肉部が弾性変形して検知部２Ｂが下方へ移動し、検知スイッチ５が電気的に接続された状態となっている。
【００３１】
なお、弾性部材１６Ａと検知部２Ｂが弾性変形する力は、検知部２Ｂよりも弾性部材１６Ａの方が二倍前後大きなものとなっており、扉体１６を閉じた際には、先ず弾性部材１６Ａに押圧されて検知部２Ｂ下方の薄肉部が弾性変形し、検知部２Ｂが下方へ移動して検知スイッチ５が電気的に接続され、この後、弾性部材１６Ａ上方の薄肉部が撓むことによって、検知スイッチ５の電気的接続が保たれるように構成されている。
【００３２】
つまり、扉体１６を閉め終えた状態では、検知部２Ｂに当接した弾性部材１６Ａの薄肉部が弾性変形することによって、検知部２Ｂの上方への弾性復帰力が打ち消され、この付勢力による扉体１６を浮かせる力が生じないように、即ち、扉体１６とケース１上面との間に隙間が生じないようになっている。
【００３３】
そして、配線基板３上下面には、発光ダイオード等の電子部品によってリモコン信号を送信する送信手段９や、配線パターンを介して送信手段９や操作スイッチ４、検知スイッチ５等に接続された、マイコン等の制御手段１０が形成されて、リモコン送信機が構成されている。
【００３４】
なお、扉体１６に収納された複数の上操作体１７は、電子機器の電源の入／切、或いは音量や選局等の、通常頻繁に使用されるものに用いられ、ケース１内の複数の下操作体２は、テレビとビデオのモード切換えや時刻設定等の、比較的使用頻度の少ないものに用いられる。
【００３５】
以上の構成において、図３に示すように、扉体１６が閉じた状態で、例えば扉体１６上面から突出した上操作部１７Ａを押圧操作すると、略ドーム状の薄肉部が弾性変形して上操作部１７Ａが下方へ移動し、この下面の扉体１６底面から突出した突出部が下操作部２Ａ上面を押圧する。
【００３６】
そして、下操作部２Ａが下方へ移動して、この下面の可動接点が固定接点と接触して操作スイッチ４の電気的接離が行われ、制御手段１０が検知スイッチ５によって扉体１６が閉状態であることを検出すると共に、この操作スイッチ４の電気的接離に応じて、送信手段９から赤外線のリモコン信号を電子機器へ送信し、例えば、機器の電源の入／切が遠隔操作によって行われる。
【００３７】
また、ヒンジ８を支点として扉体１６を回転し、図１や図２に示すように扉体１６を開くと、扉体１６下面から突出した弾性部材１６Ａが、下操作体２右端の検知部２Ｂから離れ、略ドーム状の薄肉部の弾性復帰力によって検知部２Ｂが上方へ移動して、検知スイッチ５が電気的に切断された状態となる。
【００３８】
そして、この開状態で、ケース１上面から突出した下操作部２Ａを押圧操作すると、略ドーム状の薄肉部が弾性変形して下操作部２Ａが下方へ移動し、この下面の可動接点が固定接点と接触して操作スイッチ４の電気的接離が行われる。
【００３９】
そして、この電気的接離に応じて制御手段１０が送信手段９からリモコン信号を送信するが、この時、検出スイッチ５によって扉体１６が開いた状態であることを制御手段１０が検出し、上記の上操作体７を介して押圧操作した場合とは異なるリモコン信号を電子機器へ送信し、例えば、テレビとビデオのモード切換えや機器の時刻設定等が遠隔操作によって行われる。
【００４０】
つまり、制御手段１０が検知スイッチ５の電気的接離によって扉体１６の開閉状態を検出し、上操作体１７と下操作体２のどちらが操作されたかを判別して、下操作体２を直接押圧操作した場合と、上操作体１７を介して押圧操作した場合とでは、異なるリモコン信号を送信することによって、遠隔操作機能を増やし、より多様な操作が可能なように構成されている。
【００４１】
なお、この時、上述したように扉体１６が閉じた状態では、弾性部材１６Ａ上方の薄肉部の弾性変形によって、検知部２Ｂの上方への付勢力が打ち消され、扉体１６を浮かせる力、即ち、扉体１６とケース１上面との間に隙間が生じないようになっているため、上操作部１７Ａの均一な押圧操作が行われるようになっている。
【００４２】
このように本実施の形態によれば、ケース１に開閉可能に装着された扉体１６に、検知スイッチ５に当接する弾性部材１６Ａを設け、扉体１６を閉じた際には、検知スイッチ５が弾性変形して電気的に接続された状態で、弾性部材１６Ａが弾性変形することによって、扉体１６を閉じた際、弾性部材１６Ａによって扉体１６に対する検知部２Ｂの上方への付勢力が打ち消され、扉体１６を浮かせる力が生じないため、扉体１６とケース１上面との隙間のない開閉操作が行え、確実な遠隔操作が可能なリモコン送信機を得ることができるものである。
【００４３】
なお、以上の説明では、弾性部材１６Ａを上操作体１７右端に、複数の上操作部１７Ａと一体に設けた構成について説明したが、図４の断面図に示すように、扉体１６下面に中間部を略Ｕ字状に折曲した弾性部材１６Ｂを一体に設け、扉体１６を閉じた際、扉体１６下面から突出した弾性部材１６Ｂが検知部２Ｂに当接し、略Ｕ字状の折曲部が弾性変形して検知スイッチ５の電気的接離を行う構成としても、本発明の実施は可能である。
【００４４】
また、検知部２Ｂを下操作体２右端に複数の下操作部２Ａと一体に設け、この検知部２Ｂの上下動によって、検知スイッチ５の電気的接離を行う構成として説明したが、単体の押圧または揺動操作型の検知スイッチを配線基板３上面に実装し、これを弾性部材１６Ａや１６Ｂで操作する構成としてもよい。
【００４５】
さらに、上操作体１７がなく、扉体１６を開閉して下操作体２のみを押圧操作する構成や、下操作体２下面の可動接点と配線基板３上面の固定接点による操作スイッチ４に代えて、配線基板３上面の固定接点上に、略ドーム状で導電金属薄板製の可動接点を載置したものや、或いは配線基板３上に、複数の個別のプッシュスイッチを実装したもの等、様々なスイッチを用いた構成としても、本発明の実施は可能である。
【産業上の利用可能性】
【００４６】
本発明によるリモコン送信機は、簡易な構成で、確実な開閉操作や遠隔操作が可能なものが得られ、主に各種電子機器の操作用として有用である。
【図面の簡単な説明】
【００４７】
【図１】本発明の一実施の形態によるリモコン送信機の断面図
【図２】同斜視図
【図３】同断面図
【図４】同他の実施の形態による断面図
【図５】従来のリモコン送信機の断面図
【図６】同斜視図
【符号の説明】
【００４８】
１  ケース
２  下操作体
２Ａ  下操作部
２Ｂ  検知部
３  配線基板
４  操作スイッチ
５  検知スイッチ
８  ヒンジ
９  送信手段
１０  制御手段
１６  扉体
１６Ａ、１６Ｂ  弾性部材
１７  上操作体
１７Ａ  上操作部
【図１】
0004600206.tif 000002
【図２】
0004600206.tif 000003
【図３】
0004600206.tif 000004
【図４】
0004600206.tif 000005
【図５】
0004600206.tif 000006
【図６】
0004600206.tif 000007